(57)【要約】【課題】電池とコンデンサの電圧値の検査を同時に行うことが出来、また検出電圧値の数が増加しても入力端子の数を削減でき、そしてテスト時間の短縮を達成すること。【解決手段】発振回路１と分周回路２を有する電子時計であって、更に、電源の電圧を検出する電池電圧検出回路４ａとコンデンサの電圧を検出するコンデンサ電圧検出回路４ｂ、検出された電圧情報を出力する複数の出力端子８、９と、外部よりの信号を入力する入力端子１００と、入力端子１００からの信号により分周回路２からの信号を電圧検出回路４からの信号に変えて出力する信号選択回路５００より成り、入力端子１００の出力信号により、両電圧検出回路からの出力信号Ｐ３とＰ４の電圧値を出力端子ａ８、ｂ９より振り分けて出力することにより、電池とコンデンサの検出電圧の検査を同時に行うことが出来ように構成した。【選択図】　　　図２
2004125414.tif 000002
【特許請求の範囲】
【請求項１】
発振回路と分周回路を有する電子時計において、該電子時計は更に、電源の電圧を検出する電圧検出回路と、検出された電圧情報を出力する出力端子と、外部よりの信号を入力する入力端子と、該入力端子からの信号により前記分周回路からの信号を前記電圧検出回路からの信号に変えて出力する信号選択回路より形成されると共に、前記信号選択回路からの出力信号を出力する出力端子を複数設けたことを特徴とする電子時計の電圧検出装置。
【請求項２】
電圧検出回路から複数の電圧情報が送出されると共に、この電圧情報を複数の出力端子より振り分けて出力することを特徴とする請求項１に記載の電子時計の電圧検出装置。
【請求項３】
出力端子はモータへの出力端子を兼用する２個の出力端子を有することを特徴とする請求項１に記載の電子時計の電圧検出装置。
【請求項４】
前記電圧検出回路は電池用電圧検出回路とコンデンサ用電圧検出回路よりなることを特徴とする請求項１乃至請求項３のいずれかに記載の電子時計の電圧検出装置。
【発明の詳細な説明】
【０００１】
【発明の属する技術分野】
本発明は、電子時計の電圧検出装置に関するもので、詳しくは検出される電圧情報が正常かどうかを検査するための電圧検出装置に関するものである。
【０００２】
【従来の技術】
近年の電子時計は電池により駆動されることは周知である。一般に時刻表示にはある一定範囲の電圧値で駆動されることが多く、これだけなら電圧が充分あるか否かの検査をすれば良い。しかし、時には警報を発したい時等は他に警報の為の電圧値を設定する必要がある。このような時はこれら警報の為の電圧値が正常に作動するかどうかを工場出荷時には検査しておかなければならない。
【０００３】
ところで、近年の電子時計は機能が多様化しており、またソーラーセル等により発電した電源を二次電池に充電し、この電源を用いて時計の機能を駆動するものが多くなってきた。例えば、充電電源がいつもフル充電状態であれば問題は無いが、発電が成されないために電圧値が下がってきて、時計の駆動が危うくなること等もある。この時、ある一定の電圧値より下がったことを報知するための電圧値を設定したり、逆に電圧値が上がりすぎて時計が壊れるのを防止するための電圧値を設定する必要がある。
【０００４】
この他にもいろいろの目的で使用する電圧値を設定することが行われる。このような時この設定した電圧値で正常に時計が作動するかどうかを予め検査しなければならない。
【０００５】
この電圧値を調整や確認するための検査を行うのに電圧検出装置が用いられる。電圧検出装置は時計内部の回路に組み込まれているのが普通である。上記のように時刻表示の為だけの電圧値であれば、電圧値があるかどうかの確認をすれば良いので問題は無いが、他に警報などの電圧値を設定した場合はその電圧値が正常に働くかどうかの検査を行わなければならない。しかも近年設定される電圧値が大変多くなってきたので、この検査時間の短縮等の見直しが成されるようになってきた。
【０００６】
従来の電圧検出装置は、例えば、ＩＣ検査時にもっとも不用となるランプ駆動端子を、テスト端子の論理指定によって電圧検出の機能調整のモニター端子に兼用して使用される技術がある（例えば、特許文献１参照）。
【０００７】
以下に従来の技術を図面を用いて詳しく説明する。図４は電圧検出回路を含む電子時計の回路ブロック図である。１は発振回路、２は発振回路１の信号を分周する分周回路、３は分周回路２の信号に基づき駆動パルスを作成する波形整形回路である。４ａは電池電圧の電圧値を検出する電池電圧検出回路（以下、電圧検出回路をＢＤ回路と略す）である。５は信号選択回路であり、ＡＮＤゲート５１、ＡＮＤゲート５２、ＡＮＤゲート５３、ＯＲゲート５４、及びインバータ（以下Ｉｖと略す）５５、Ｉｖ５６で構成されている。
【０００８】
入力端子ａ１０と入力端子ｂ１１は信号選択回路５に検査モードを指定するために外部より入力が可能な各入力端子で、入力端子ａ１０は電池ＢＤ回路４ａの出力信号Ｐ２をＡＮＤゲート５２より通過させる信号を出力し、入力端子ｂ１１は電池ＢＤ回路４ａの出力信号Ｐ１をＡＮＤゲート５３より通過させる信号を出力する。入力端子から信号が入力すると、時計の時刻モードから電圧情報を検査する検査モードにモードが変更するよう構成されている。
【０００９】
次に６、７はドライバー回路ａとドライバー回路ｂであり、時刻モードでは波形整形回路３からの駆動パルス信号をモータ駆動のための出力信号に変換する。８、９はモータ出力回路ａとモータ出力回路ｂであり、ドライバー回路ａ６、ドライバー回路ｂ７からの信号をモータ出力回路ａとモータ出力回路ｂより交互に出力することによって、図示しないモータを回転させ輪列を介して指針を駆動することで時刻表示を行っている。
【００１０】
ドライバー回路ａ６は、前述の入力端子ａ１０と入力端子ｂ１１からの信号を信号選択回路５が入力すると、信号選択回路５は波形整形回路３からの信号の入力を電池ＢＤ回路４ａからの信号の入力に変え、モータ出力端子ａ８へ電圧情報を出力するよう構成されている。
【００１１】
次に図５の回路ブロック図により、例えば電池ＢＤ回路４ａの内部構造の一例について説明する。電池ＢＤ回路４ａは一例として２値の電圧値が出力されるとする。２０は基準になる電圧を作成する基準電位作成手段、２１は電源間に抵抗を直列に複数個接続し、抵抗によって分圧されたａ点、ｂ点の電圧を作成する抵抗分割手段、２２は基準電位作成手段２０の電圧に対して抵抗分割手段２１のｂ点の電圧を比較する第一電圧比較手段、２３は基準電位作成手段２０の電圧に対して抵抗分割手段２１のａ点の電圧を比較する第二電圧比較手段で構成されている。Ｐ１は第一電圧比較手段２２の出力信号、Ｐ２は第二電圧比較手段２３の出力信号で、Ｐ２＞Ｐ１と仮定する。
【００１２】
信号選択回路５の各ゲートは以下によって入力信号が配分されている。ＡＮＤゲート５１は波形整形回路３の出力信号と入力端子ａ１０の信号を入力とするＩｖ５５及び入力端子ｂ１１の信号を入力とするＩｖ５６の各出力信号が入力され、ＡＮＤゲート５２は電池ＢＤ回路４ａの出力信号Ｐ２と入力端子ａ１０の出力信号が入力され、ＡＮＤゲート５３は電池ＢＤ回路４ａの出力信号Ｐ１と入力端子ｂ１１の出力信号が各々入力されている。そして、ＯＲゲート５４はＡＮＤゲート５１，５２，５３の各出力信号を入力としてドライバー回路ａ６に信号を出力している。
【００１３】
次に、従来技術の動作を説明する。通常電子時計は時刻モードで時刻表示を行っている。即ち、入力端子ａ１０と入力端子ｂ１１が共にＬレベルの場合は、ＡＮＤゲート５１は能動状態、ＡＮＤゲート５２とＡＮＤゲート５３は通過禁止の状態になっている。この為ＡＮＤゲート５１は波形整形回路３の信号をドライバー回路ａ６を介してモータ出力端子ａ８に、また波形整形回路３の信号をドライバー回路ｂ７を介してモータ出力端子ｂ９に交互に出力することで、図示しないモータを駆動し、輪列を介して指針を動かし時刻表示を行う。
【００１４】
ところで、出力信号Ｐ１及び出力信号Ｐ２は、電子時計通常使用時に電池電圧が低下してきたことを検出するための検出信号としている。この検出信号が出力されると、波形整形回路３において、運針パルスの形態を変化させて出力し、モータ出力端子ａ８及びモータ出力端子ｂ９から出力を行う。例えば出力信号Ｐ１が検出された場合は２秒運針、出力信号Ｐ２が検出された場合は４秒運針といった使い分けを行っている。
【００１５】
次に、電池ＢＤ回路４ａの出力信号Ｐ１及び出力信号Ｐ２の調整及び調整後の確認について説明する。調整及び確認を行うために、入力端子ａ１０と入力端子ｂ１１に信号を入力する。まず出力信号Ｐ２の電圧値を検査する為に入力端子ａ１０の出力をＨレベルとすると、ＡＮＤゲート５１は通過禁止状態となり波形整形回路３からの信号の通過を禁止する。一方ＡＮＤゲート５２は能動状態となり出力信号Ｐ２を通過させ、ドライバー回路ａ６を介してモータ出力端子ａ８に出力を行う。尚、ＡＮＤゲート５３は入力端子ｂ１１の出力はＬレベルであるから通過禁止状態である。
【００１６】
この状態で電池電圧を下げてゆき、ある電圧を境にモータ出力端子ａ８の出力が反転したときの電圧値が、電池ＢＤ回路４ａの中の出力信号Ｐ２の検出電圧値である。そして、目標とする電圧値と上記の結果である検出電圧値との差を確認し必要があれば調整する。また調整後の電池ＢＤ回路４ａの電圧検出値の確認も同じ方法で行う。
【００１７】
次に出力信号Ｐ２を調整後、電池ＢＤ回路４ａの出力信号Ｐ１の電圧値を検査する為に、入力端子ａ１０の出力をＬレベルとし入力端子ｂ１１の出力をＨレベルとすると、ＡＮＤゲート５１はそのまま通過禁止状態を継続且つＡＮＤゲート５２も通過禁止状態となり、ＡＮＤゲート５３が能動状態となる。これによって出力信号Ｐ１はドライバー回路ａ６を介してモータ出力端子ａ８に出力される。その状態で電池電圧を下げてゆき、ある電圧を境に出力が反転したときの電圧値が電池ＢＤ回路４ａ内の出力信号Ｐ１の検出電圧値であり、その結果から目標とする検出電圧値と上記の検出電圧値の差を確認し調整する。また調整後の電圧検出値の確認も同じ方法で行う。
【００１８】
このようにＢＤ回路からの出力信号が複数あると、その出力信号毎に入力端子を設け、一つの出力信号の検査が終了したら、次の出力信号の検査のため入力端子の信号により能動化させて検査を行わなければならず、検査時間を非常に長時間必要としたり、また切り替え時間も必要としていた。
【００１９】
【特許文献１】
特開昭５４−１１２０８４号公報（第２頁、第５行目〜第１７行目）
【００２０】
【発明が解決しようとする課題】
ところで前述の如く近年電子時計の機能が多様化しており、電圧検出回路の検出電圧値の数が増加の傾向をたどっている。この為、それに比例してテストモードの増加に伴う入力端子の増加及び、端子の増加に伴いテスト時間が長くなるといった問題点が生じてきている。この入力端子の増加はＩＣチップサイズの増加に繋がり、テスト時間の長時間化はＩＣチップ単価に関係するものであるため、端子の増加とテスト時間の延長を防ぐ必要があった。
【００２１】
本発明の目的は上記課題を解決しようとするもので、電圧検出回路内の検出電圧値の数が増加しても入力端子の数の増加を防げもしくは削減でき、またテスト時間の短縮を達成することである。
【００２２】
【課題を解決するための手段】
上記目的を達成するための本願の要旨は、発振回路と分周回路を有する電子時計であって、この電子時計は更に、電源の電圧を検出する電圧検出回路と、検出された電圧情報を出力する出力端子と、外部よりの信号を入力する入力端子と、入力端子からの信号により分周回路からの信号を前記電圧検出回路からの信号に変えて出力する信号選択回路より形成されていて、前記信号選択回路からの出力信号を出力する出力端子を複数設けたことを特徴としている。
【００２３】
電圧検出回路からは複数の電圧情報が送出されると共に、この電圧情報を複数の出力端子より振り分けて出力することを特徴とする。
【００２４】
また、出力端子はモータへの出力端子を兼用する２個の出力端子を有するものである。
【００２５】
更に、前記電圧検出回路は電池用電圧検出回路とコンデンサ用電圧検出回路よりなることを特徴とする。
【００２６】
【発明の実施の形態】
以下、本発明の実施の形態を図面に基づいて詳述する。
図１は本発明の第ー実施形態を示す回路ブロック図で電池ＢＤ回路のみの場合の実例である。従来技術と同一の構成については同一の番号を付して説明を省略する。
【００２７】
図１において、５００は信号選択回路で、第１信号選択回路５０１と第２信号選択回路５０２及びＩｖ５０３とより構成されている。第１信号選択回路５０１はＡＮＤゲート５０４とＡＮＤゲート５０５及びＯＲゲート５０６より成り、第２信号選択回路５０２はＡＮＤゲート５０７とＡＮＤゲート５０８及びＯＲゲート５０９から構成されている。
【００２８】
１００は入力端子ｃで、信号選択回路５００に検査モードを指定するためのものであり、本実施の形態では１つの端子を兼用している。この入力端子ｃ１００から信号が入力すると時刻モードから電池ＢＤ回路４ａの検査モードにモードを変更するよう構成されている。Ｉｖ５０３はこの入力端子１００の出力信号を入力とする。
【００２９】
第１信号選択回路５０１の各ゲートは以下によって入力信号が配分される。即ちＡＮＤゲート５０４は波形整形回路３の出力信号と入力端子ｃ１００の信号を入力とするＩｖ５０３の出力信号が入力される。ＡＮＤゲート５０５は電池ＢＤ回路４ａの出力信号Ｐ２と入力端子ｃ１００からの出力信号が入力される。そして、ＯＲゲート５０６はＡＮＤゲート５０４とＡＮＤゲート５０５の出力信号が入力され、ドライバー回路ａ６に信号を出力している。
【００３０】
第２信号選択回路５０２の各ゲートは、同様に以下によって入力信号が配分される。ＡＮＤゲート５０７は波形整形回路３の出力信号と入力端子ｃ１００の信号を入力とするＩｖ５０３の出力信号が入力され、ＡＮＤゲート５０８は電池ＢＤ回路４ａの出力信号Ｐ１と入力端子ｃ１００の出力信号が入力される。ＯＲゲート５０９はＡＮＤゲート５０７と５０８の出力信号が入力されドライバー回路ｂ７に信号を出力している。
【００３１】
本発明は以上のように、電池ＢＤ回路４ａの出力信号Ｐ２、Ｐ１に対応してドライバー回路ａ６とドライバー回路ｂ７に振り分けられ、２個のモータ出力端子ａ８とｂ９より各々出力するように構成されている。これによって後述するように、入力端子の数を減らし、検査時間を減少させることを達成している。また出力端子はモータの出力端子を兼用しており、出力端子も新たに設ける必要も無い。
【００３２】
続いて第１実施の形態の動作を図１を用いて説明する。
入力端子ｃ１００がＬレベルの場合、ＡＮＤゲート５０４と５０７にはＩｖ５０３のＨレベルの出力信号が入力されているので両ゲートとも能動状態となっている。この為波形整形回路３の出力信号をＡＮＤゲート５０４と５０７より交互に出力し、ドライバー回路ａ６とｂ７を介してモータ出力端子ａ８とｂ９に出力し、図示しないモータを回転して輪列を介して指針を動かし時刻表示を行う。
【００３３】
ところで、出力信号Ｐ１及び出力信号Ｐ２は、前述のように、電子時計の通常使用時電池電圧が低下してきたことを検出するための検出信号であり、例えば検出信号Ｐ１が検出された場合は２秒運針、検出信号Ｐ２が検出された場合は４秒運針といった使い分けを行っていることは従来技術と同様である。
【００３４】
次に、電池ＢＤ回路４ａの検出信号Ｐ１及び検出信号Ｐ２の調整及び調整後の確認について説明する。まず、電池ＢＤ回路４ａの出力信号Ｐ２と出力信号Ｐ１の検出電圧値の調整及び確認を行うために、入力端子ｃ１００からＨレベルの信号を出力する。これによって、ＡＮＤゲート５０４と５０７は通過禁止状態となり、波形整形回路３からの信号入力を禁止する。同時に、ＡＮＤゲート５０５と５０８は能動状態となり、電池ＢＤ回路４ａの検出信号Ｐ１及びＰ２の信号を通過させる。
【００３５】
この状態で電池電圧を下げてゆくと、初めに、ある電圧値を境に出力が反転するところがモータ出力端子ａ８に現れる。このときの電圧値が電池ＢＤ回路４ａの出力信号Ｐ２の検出電圧値であり、その結果から目標とする検出電圧値と上記の検出電圧値の差を確認し調整する。また調整後の電池ＢＤ回路４ａの電圧検出値の確認も同じ方法で行う。
【００３６】
Ｐ１の調整は出力信号Ｐ２の調整後行うことが出来る。即ち、Ｐ２を調整後更に電池電圧を下げてゆくと、今度はモータ出力端子ｂ９において、ある電圧を境に出力が反転するところが現れる。この反転したときの電圧値が出力信号Ｐ１の検出電圧値である。そしてその結果から、目標とする検出電圧値とこの検出電圧値の差を確認し必要に応じて調整する。調整後の確認も上記と同じ方法で行う。
【００３７】
このような方法で行うことにより、１つは、出力信号Ｐ１とＰ２の電圧値検査を入力端子を変えることなく同時に行うことが出来ること。２つは、この為入力端子の数を減らすことが出来、ひいてはＩＣのコスト低減、あるいは検査時間の短縮による加工費用の低減を計ることが可能となる。
【００３８】
次に本発明の第２実施の形態を図面に基づいて説明する。図２は本発明の第２実施の形態を示す回路ブロック図で、第１実施の形態と同一の構成には、同一の番号を付して説明を省略する。
【００３９】
図２は図示しないが発電手段を有し、電池は２次電池であり更にクイックスタート用のコンデンサを搭載した電子時計の事例である。ＢＤ回路４は、電池ＢＤ回路４ａとコンデンサＢＤ回路４ｂを有している。即ち、４ａは電池の電圧を検出する電池ＢＤ回路で、Ｐ３は電池ＢＤ回路４ａの検出の為の出力信号、４ｂは過充電防止のための電圧値を検出するコンデンサＢＤ回路で、Ｐ４はコンデンサＢＤ回路４ｂの検出出力信号である。尚、信号選択回路５００は図１のものと同等で、信号配分は下記の通りである。また、入力端子ｃ１００も図１の入力端子ｃ１００と同等である。
【００４０】
第１信号選択回路５０１内のＡＮＤゲート５０５には、出力信号Ｐ３と入力端子ｃ１００の信号が入力し、第２信号選択回路５０２内のＡＮＤゲート５０８に入力する信号は、出力信号Ｐ４と入力端子ｃ１００の信号である。
【００４１】
続いて第２実施の形態の動作を図２を用いて説明する。
入力端子ｃ１００がＬレベルの場合は、第１実施形態と同様で、波形整形回路３の出力信号をモータ出力端子ａ８とｂ９より交互に出力して時刻表示を行う。尚、通常使用時、出力信号Ｐ３は電池電圧が低下してきたことを検出する信号で、出力信号Ｐ３が出力されると波形整形回路３は運針パルスの形態を変化させる。また出力信号Ｐ４はクイックスタート用コンデンサの出力信号で、過充電防止のための電圧を検出する信号である。
【００４２】
次に、ＢＤ回路４の出力信号Ｐ３とＰ４の調整及び確認について説明する。入力端子ｃ１００の出力をＨレベルとすると、ＡＮＤゲート５０４と５０７は通過禁止状態、ＡＮＤゲート５０５と５０８は能動状態となる。この状態で電池電圧を下げてゆく。前述同様Ｐ３＞Ｐ４と仮定する。するとある電圧値を境にモータ出力端子ａ８に出力が反転するところが現れる。このときの電圧値が電池ＢＤ回路４ａの出力信号Ｐ３の検出電圧値である。この結果から、目標とする検出電圧値と検出電圧値との差を確認し調整する。調整後の電池ＢＤ回路４ａの電圧検出値の確認も同じ方法で行う。
【００４３】
次にコンデンサＢＤ回路４ｂの出力信号Ｐ４の検出電圧値をモータ出力端子ｂ９にて検査するためには、電池ＢＤ回路４ａの調整と並行して行うことが出来る。即ち電池ＢＤ回路４ａと並行して電池電圧を下げてゆきＰ３より更に下がったところで、ある電圧を境に出力が反転するところがモータ出力端子ｂ９に現れる。このときの電圧値がコンデンサＢＤ回路４ｂの出力信号Ｐ４の検出電圧値であり、やはり目標検出電圧値と検出電圧値の差を確認し調整する。調整後の確認も同様に行う。
【００４４】
次に本発明の第３実施の形態を図面に基づいて説明する。
図３は本発明の第３実施の形態を表す回路ブロック図で、第２実施の形態と同一構成には同一の番号を付して説明を省略する。第２実施の形態と異なるところは各ＢＤ回路４ａ、４ｂが各々２値の電圧値を出力しているところである。
【００４５】
つまり、電池ＢＤ回路４ａの検出信号は出力信号Ｐ５とＰ６であり、コンデンサＢＤ回路４ｂの検出信号は出力信号Ｐ７とＰ８で、出力信号Ｐ７はコンデンサ電圧検出信号の過充電防止のための検出電圧値、Ｐ８はコンデンサ電圧検出信号の２次電池充電検出許可の検出電圧値である。
【００４６】
異なる構成について説明する。第１信号選択回路５１０と第２信号選択回路５１１の構成及び入力端子の構成が異なってくる。ＢＤ回路４の出力が４値で出力端子が２個のため、入力端子も２個必要となる。即ち入力端子ｃ１００と入力端子ｄ１０１を必要とする。従ってこれに対応するＩｖ５２０とＩｖ５２１を有している。また、第１信号選択回路５１０はＡＮＤゲート５１２、５１３、５１４とＯＲゲート５１５より形成され、第２信号選択回路５１１はＡＮＤゲート５１６、５１７、５１８とＯＲゲート５１９より形成されている。
【００４７】
信号選択回路５００内の各ゲートの入力信号配分は次の通りである。ＡＮＤゲート５１２と５１６は波形成形回路３と入力端子ｃ１００の出力を入力とするＩｖ５２０の出力信号及び入力端子ｄ１０１の出力を入力とするＩｖ５２１の出力信号が入力されている。ＡＮＤゲート５１３は出力信号Ｐ５と入力端子ｃ１００の出力信号が、ＡＮＤゲート５１４は出力信号Ｐ６と入力端子ｄ１０１の出力信号が、またＡＮＤゲート５１７は出力信号Ｐ７と入力端子ｃ１００の出力信号が、更にＡＮＤゲート５１８は出力信号Ｐ８と入力端子ｄ１０１の出力信号が各々入力されている。
【００４８】
そして、ＯＲゲート５１５はＡＮＤゲート５１２、５１３、５１４の出力信号が入力され、ドライバー回路ａ６に信号が出力され、ＯＲゲート５１９はＡＮＤゲート５１６、５１７、５１８の出力信号が入力され、ドライバー回路ｂ７に信号が出力されている。
【００４９】
次に、第３実施の形態の動作を説明する。通常時刻表示の動作についてはＡＮＤゲート５１２とＡＮＤゲート５１６に３値入力されるだけなので説明を省略する。また、出力信号Ｐ５、Ｐ６は出力信号運針形態を変えるための使い分けを行っている信号とする。出力信号Ｐ７、Ｐ８は上記で説明した通りである。
【００５０】
次に、ＢＤ回路４の各電圧値の調整及び調整後の確認について説明する。まず調整及び確認のため、外部操作で入力端子ｃ１００の出力信号をＨレベルとすると、ＡＮＤゲート５１２と５１６は通過禁止状態となり、ＡＮＤゲート５１３と５１７が能動状態となって、出力信号Ｐ５とＰ７はゲートを通過する。これによって、出力信号Ｐ５はモータ出力端子ａ８に、出力信号Ｐ７はモータ出力端子ｂ９に各々信号を出力する。
【００５１】
この状態で電池電圧とコンデンサの電圧を下げてゆく。ここで電圧値の大きさを仮に、Ｐ５＞Ｐ７＞Ｐ６＞Ｐ８とする。すると、ある電圧値を境にモータ出力端子ａ８の出力が反転する。このときの電圧値が電池ＢＤ回路４ａの出力信号Ｐ５の検出電圧値である。その結果を上述で説明してきたように電圧値を調整し、調整後の確認を行う。一方コンデンサの方も並行して電圧を下げてゆくと、ある電圧値を境にモータ出力端子ｂ９の出力が反転する。このときの電圧値がコンデンサＢＤ回路４ｂの出力信号Ｐ７の検出電圧値であるので、その結果からやはり電圧値を調整と調整後の確認を行う。
【００５２】
次に、出力信号Ｐ６とＰ８の調整及び確認のため、入力端子ｃ１００の出力信号をＬレベルに入力端子ｄ１０１の出力信号をＨレベルとすると、ＡＮＤゲート５１４と５１８が能動状態となり、出力信号Ｐ６はモータ出力端子ａ８に、出力信号Ｐ８はモータ出力端子ｂ９に各々信号を出力する。この状態で電池電圧とコンデンサの電圧を更に下げてゆくと、ある電圧を境にモータ出力端子ａ８の出力が反転するので、この検出電圧値の調整を行い出力信号Ｐ６を確定する。
【００５３】
同様に、ある電圧を境にモータ出力端子ｂ９の出力が反転するので、この検出電圧値の調整を行い出力信号Ｐ８を確定する。調整後の確認は同じ方法で行うことが出来る。
【００５４】
【発明の効果】
以上説明したごとく本発明によれば、電圧検出回路内の複数の検出電圧値を複数の出力端子から出力することにより、入力端子を削減する事ができるため、調整及び確認の切り替え時間の短縮を行うことができ、ひいてはＩＣのコスト低減、あるいは検査時間の短縮による加工費用の低減を計ることが可能となる。
【００５５】
また、電池とコンデンサの電圧値の検査を同時に行うことが出来るため、やはり検査時間の短縮による加工費用の低減、ひいてはコスト低減を達成することが出来る。
【図面の簡単な説明】
【図１】本発明の第１実施の形態における電子時計の回路ブロック図である。
【図２】本発明の第２実施の形態における電子時計の回路ブロック図である。
【図３】本発明の第３実施の形態における電子時計の回路ブロック図である。
【図４】従来の電子時計の回路ブロック図である。
【図５】従来のＢＤ回路内の回路ブロック図である。
【符号の説明】
１、発振回路
２、分周回路
３、モード選択回路
４、電圧検出回路
４ａ、電池電圧検出回路
４ｂ、コンデンサ電圧検出回路
５、信号選択回路
５１、ＡＮＤゲート
５２、ＡＮＤゲート
５３、ＡＮＤゲート
５４、ＯＲゲート
５５、Ｉｖゲート
５６、Ｉｖゲート
５００、信号選択回路
５０１、第１信号選択回路
５０２、第２信号選択回路
５０３、Ｉｖゲート
５０４、ＡＮＤゲート
５０５、ＡＮＤゲート
５０６、ＯＲゲート
５０７、ＡＮＤゲート
５０８、ＡＮＤゲート
５０９、ＯＲゲート
５１０、第１信号選択回路
５１１、第２信号選択回路
５１２、ＡＮＤゲート
５１３、ＡＮＤゲート
５１４、ＡＮＤゲート
５１５、ＯＲゲート
５１６、ＡＮＤゲート
５１７、ＡＮＤゲート
５１８、ＡＮＤゲート
５１９、ＯＲゲート
５２０、Ｉｖゲート
５２１、Ｉｖゲート
６、ドライバー回路ａ
７、ドライバー回路ｂ
８、モータ出力ａ
９、モータ出力ｂ
１０、入力端子ａ
１１、入力端子ｂ
１００、入力端子
１０１、入力端子
２０、基準電位作成手段
２１、抵抗分割手段
２２、第一電圧比較手段
２３、第二電圧比較手段
Ｐ１、出力信号
Ｐ２、出力信号
Ｐ３、出力信号
Ｐ４、出力信号
Ｐ５、出力信号
Ｐ６、出力信号
Ｐ７、出力信号
Ｐ８、出力信号
【図１】
2004125414.tif 000003
【図２】
2004125414.tif 000004
【図３】
2004125414.tif 000005
【図４】
2004125414.tif 000006
【図５】
2004125414.tif 000007